(57)【特許請求の範囲】
【請求項１】
近位端および遠位端を有し、第二の導管と同心的であり、第一の内径を有する第一の部分と、第二の内径を有する第二の部分とを有する第一の導管と、該第二の部分が該遠位端に隣接し、該第二の内径が該第一の内径よりも小さく、該第一の導管が、冷却流体を該近位端から該遠位端に流れさせ、該第二の導管が、近位端および遠位端を有し、該冷却流体を該遠位端から該近位端に流れさせることと、
該第一の導管の該遠位端と、該第二の導管の該遠位端とを接続する導電性沸騰室と、該沸騰室が該冷却流体を沸騰させて気体状にすることと、
該沸騰室と導電的に接触した第一の電極ワイヤおよび該沸騰室から隔離された第二の電極ワイヤと、
を含む凍結カテーテル。
【請求項２】
該第二の電極ワイヤが、該第二の導管の一部を該沸騰室の一部に対して押圧する請求の範囲第１項記載の凍結カテーテル。
【請求項３】
該沸騰室の前記一部が複数の環状うねを含む請求の範囲第２項記載の凍結カテーテル。
【請求項４】
該沸騰室に固着された操舵ワイヤをさらに含む請求の範囲第２項記載の凍結カテーテル。
【請求項５】
該沸騰室に固着され、該第一の操舵ワイヤから、該第二の導管の内径を超えない距離だけ離れた第二の操舵ワイヤをさらに含む請求の範囲第４項記載の凍結カテーテル。
【請求項６】
近位端および遠位端を有し、第二の可撓性導管と同心的である第一の可撓性導管と、該第一の可撓性導管が、冷却流体を該近位端から該遠位端に流れさせ、該第二の可撓性導管が、近位端および遠位端を有し、該冷却流体を該遠位端から該近位端に流れさせることと、
該第一の可撓性導管の該遠位端と、該第二の可撓性導管の該遠位端とを接続する沸騰室と、該沸騰室が該冷却流体を沸騰させて気体状にすることと、
血管を損傷することなく、該血管に挿入され、その中に通されるのに十分に可撓性かつ十分に細いものであり、
該第一の可撓性導管が、室温での該冷却流体の蒸気圧を超え、かつ平方インチあたり300ポンド未満の圧力で、該沸騰室への該冷却流体の送り出しを制御するための流量制限区分を有し、
該沸騰室が、該第一の可撓性導管の該遠位端と連通した第一の開口を画定し、該沸騰室と該第二の可撓性導管の該遠位端との間に受動的な流量制限装置を含む凍結カテーテル。
【請求項７】
近位端および遠位端を有し、第二の導管と同心的である第一の導管と、該第一の導管が、冷却流体を該近位端から該遠位端に流れさせ、該第二の導管が、近位端および遠位端を有し、該冷却流体を該遠位端から該近位端に流れさせ、該第一の導管が、第一の内径を有する第一の部分と、第二の内径を有する第二の部分とを有し、該第二の部分が該遠位端に隣接し、該第二の内径が該第一の内径より小さいことと、
該第一の導管の該遠位端と、該第二の導管の該遠位端とを接続する沸騰室と、該沸騰室が該冷却流体を沸騰させて気体状にし、該沸騰室が、導電性であり、さらに、該沸騰室と導電的に接触した第一の電極ワイヤと、該沸騰室から電気的に絶縁された第二の電極ワイヤとを含み、該第二の電極ワイヤが該第二の導管の一部を該沸騰室の一部に対して押圧することと、
該沸騰室に固着された操舵ワイヤと、
を含む凍結カテーテル。
【請求項８】
該沸騰室が、該第一の導管の該遠位端と連通した第一の開口を画定し、該沸騰室と該第二の導管の該遠位端との間に受動的な流量制限装置を含む請求の範囲第７項記載の凍結カテーテル。
【請求項９】
該第二の導管内のガス圧を所定の血圧よりも低い所定の水準に維持するための流体制御装置をさらに含む請求の範囲第８項記載の凍結カテーテル。
【請求項１０】
低い沸点を有する毒性の冷却流体の供給をさらに含む請求の範囲第７項記載の凍結カテーテル。
【請求項１１】
近位端および遠位端を有し、第二の導管と同心的である第一の導管と、該第一の導管が、冷却流体を該近位端から該遠位端に流れさせ、該第二の導管が、近位端および遠位端を有し、該冷却流体を該遠位端から該近位端に流れさせることと、
該第一の導管の該遠位端と、該第二の導管の該遠位端とを接続する導電性沸騰室と、該沸騰室が該冷却流体を沸騰させて気体状にすることと、
該第一の導管が、室温での該冷却流体の蒸気圧を超え、かつ平方インチあたり300ポンド未満の圧力で、該沸騰室への該冷却流体の送り出しを制御するための流量制限区分を有することと、
該沸騰室と導電的に接触した第一の電極ワイヤと、
該沸騰室から隔離された第二の電極ワイヤを含む凍結カテーテル。
【請求項１２】
該第二の電極ワイヤが、該第二の導管の一部を該沸騰室の一部に対して押圧する請求の範囲第11項記載の凍結カテーテル。
【請求項１３】
該沸騰室に前記一部が複数の環状うねを含む請求の範囲第12項記載の凍結カテーテル。
【請求項１４】
該沸騰室に固着された操舵ワイヤをさらに含む請求の範囲第11項記載の凍結カテーテル。
【請求項１５】
該沸騰室に固着され、該第一の操舵ワイヤから、該第二の導管の内径を超えない距離だけ離れた第二の操舵ワイヤをさらに含む請求の範囲第14項記載の凍結カテーテル。
【請求項１６】
近位端および遠位端を有し、第二の導管と同心的であり、第一の内径を有する第一の部分と、第二の内径を有する第二の部分とを有する第一の導管と、該第二の部分が該遠位端に隣接し、該第二の内径が該第一の内径よりも小さく、該第一の導管が、冷却流体を該近位端から該遠位端に流れさせ、該第二の導管が、近位端および遠位端を有し、該冷却流体を該遠位端から該近位端に流れさせることと、
該第一の導管の該遠位端と、該第二の導管の該遠位端とを接続する導電性沸騰室と、該沸騰室が該冷却流体を沸騰させて気体状にすることと、
該沸騰室と導電的に接触した第一の電極ワイヤおよび該沸騰室から隔離された第二の電極ワイヤと、
を含む凍結カテーテル。
【請求項１７】
該第二の電極ワイヤが、該第二の導管の一部を該沸騰室の一部に対して押圧する請求の範囲第16項記載の凍結カテーテル。
【請求項１８】
該沸騰室の前記一部が複数の環状うねを含む請求の範囲第17項記載の凍結カテーテル。
【請求項１９】
該沸騰室に固着された操舵ワイヤをさらに含む請求の範囲第16項記載の凍結カテーテル。
【請求項２０】
該沸騰室に固着され、該第一の操舵ワイヤから、該第二の導管の内径を超えない距離だけ離れた第二の操舵ワイヤをさらに含む請求の範囲第19項記載の凍結カテーテル。
【請求項２１】
近位端および遠位端を有し、第二の導管と同心的である第一の導管と、該第一の導管が、冷却流体を該近位端から該遠位端に流れさせ、該第二の導管が、近位端および遠位端を有し、該冷却流体を該遠位端から該近位端に流れさせ、該第一の導管が、第一の内径を有する第一の部分と、第二の内径を有する第二の部分とを有し、該第二の部分が該遠位端に隣接し、該第二の内径が該第一の内径よりも小さいことと、
該第一の導管の該遠位端と、該第二の導管の該遠位端とを接続する沸騰室と、該沸騰室が該冷却流体を沸騰させて気体状にし、該沸騰室が、導電性であり、さらに、該沸騰室と導電的に接触した第一の電極ワイヤと、該沸騰室から電気的に絶縁された第二の電極ワイヤとを有し、該第二の電極ワイヤが該第二の導管の一部を該沸騰室の一部に対して押圧することと、
該沸騰室に固着された操舵ワイヤと、
を含む凍結カテーテル。
【請求項２２】
該沸騰室が、該第一の導管の該遠位端と連通した第一の開口を画定し、該沸騰室と該第二の導管の該遠位端との間に受動的な流動制限装置を含む請求の範囲第21項記載の凍結カテーテル。
【請求項２３】
該第二の導管内のガス圧を所与の血圧よりも低い所定の水準に維持するための流体制御装置をさらに含む請求の範囲第22項記載の凍結カテーテル。
【請求項２４】
低い沸点を有する毒性の冷却流体の供給をさらに含む請求の範囲第21項記載の凍結カテーテル。
【請求項２５】
近位端および遠位端を有し、第二の導管と同心的である第一の導管と、該第一の導管が冷却流体を該近位端から該遠位端に流れさせ、該第二の導管が、近位端および遠位端を有し、該冷却流体を該遠位端から該近位端に流れさせることと、
該第一の導管の該遠位端と、該第二の導管の該遠位端とを接続する導電性沸騰室と、該沸騰室が該冷却液を沸騰させて気体状にすることと、
該第一の導管が、室温での該冷却流体の蒸気圧を超え、かつ平方インチあたり300ポンド未満である圧力で、該沸騰室への該冷却流体の送り出しを制御するための流量制限区分とを有することと、
該沸騰室と導電的に接触した第一の電極ワイヤと、
該沸騰室から隔離された第二の電極ワイヤと、
を含む凍結カテーテル。
【請求項２６】
該第二の電極ワイヤが、該第二の導管の一部を該沸騰室の一部に対して押圧する請求の範囲第25項記載の凍結カテーテル。
【請求項２７】
該沸騰室の前記一部が複数の環状うねを含む請求の範囲第25項記載の凍結カテーテル。
【請求項２８】
該沸騰室に固着された操舵ワイヤをさらに含む請求の範囲第25項記載の凍結カテーテル。
【請求項２９】
該沸騰室に固着され、該第一の操舵ワイヤから、該第二の導管の内径を超えない距離だけ離れた第二の操舵ワイヤをさらに含む請求の範囲第28項記載の凍結カテーテル。
【請求項３０】
該第一の可撓性導管が、第一の内径を有する第一の部分と、該第一の内径よりも小さい第二の内径を有する、該遠位端に隣接する第二の部分とを有し、該第二の可撓性導管が、該近位端から該遠位端まで実質的に均一の内径を有している請求の範囲第25項記載の凍結カテーテル。
【請求項３１】
該第一の内径が0.18ミリメートルであり、該第二の内径が0.13ミリメートルである範囲第30項記載の凍結カテーテル。
【発明の詳細な説明】
関連出願に対する相互参照
本発明は、同時係属中であって譲受人を同じくする、1992年６月15日に出願された米国特許出願第07/898,142号（ファイル番号MSPI−003XX）の一部継続出願である。また、前記出願は、1992年４月16日に出願された米国特許出願第07/870,495号（ファイル番号MSPI−002XX）の一部継続出願である。
発明の分野
本発明は、カテーテルの分野に関し、より詳細には、心臓処置に使用されるカテーテルに関する。
発明の背景
心臓不整脈は、限局性の電気生理学的現象によって生じる。これらは一般に二つのタイプ、すなわち、追加的病巣または再入回路に当てはまる。再入回路は、梗塞形成後の心室性頻拍または房室結節再入におけるように、高度に限局性であることもできるし、副伝導路疾病におけるように、より肉眼的な組織であることもできる。これらは限局性の現象であるため、外科的に治療することができる。その作業は、害をもたらす領域を除去または破壊し、それによって不整脈の原因を除くことである。
現在の外科治療には、心臓切開術、開胸凍結切除、閉胸カテーテル高周波（rf）切除および閉胸直流切除がある。高周波カテーテル切除が治療法として選択されてきている。rf切除の最大の欠点は、切除の前に、心臓損傷の予定部位を従来の心電図マッピングによって決定しなければならないことにある。残念ながら、従来のマッピングは、問題区域を確定的に隔離することができない。大部分の場合、治療を施すために二つ以上の損傷を加えなければならない。従来の心電図マッピングの限界により、予定の損傷部位それぞれの有効性を事前に決定することができないため、多数の損傷が必要になる。正常な結果が得られるまでに、しばしば５ヵ所の、ときには20ヵ所もの損傷が必要になることもある。普通、実際には損傷の一つだけが効果を示す。他の損傷は心臓組織を不必要に破壊する結果を招く。
切除の前に、その領域の局所的な電気的活性を抑制して、予定の損傷部位の、不整脈の停止における有効性を決定することができるならば、心臓組織の選択的切除による心臓不整脈の治療法を改善することができる。心筋組織の小さな領域を冷却することによって限局性の電気的活性を抑制したのち、心電図マッピングを実行すると、不整脈を評価することができる。この冷却およびマッピングの技法は「零度」または「アイス」マッピングと呼ばれる。アイスマッピングによる測定で予定の損傷区域が有効であるならば、不整脈を除くため、その部位を切除する。凍結切除は、その利点にもかかわらず、心臓組織の凍結の機能と組織切除の機能とを効果的に組み合わせた単一の操作しやすい装置がないため、技法として選択されてこなかった。
発明の概要
本発明は、零度もしくはアイスマッピング手段と組織切除手段とを単一の装置中に組み合わせた切除カテーテルを提供する。本発明は、切除装置を含むカテーテルの遠位端に冷却流体を循環させるための第一および第二の導管を含む。切除装置は、組織切除のための高周波エネルギーまたは直流エネルギーを導通させる多極マッピング電極の１個の極であってもよい。あるいはまた、切除電極に代えて、レーザと連通した光ファイバを用いてもよい。光エネルギーが光拡散体によって分散されて損傷部位に向けられ、組織を切除する。カテーテルは、カテーテルの遠位端を湾曲させるための任意の操舵装置を有していてもよく、その尖ったうねを用いて、切除装置を心筋組織と接触した状態に保持してもよい。
本発明のもう一つの特徴は、上述のカテーテルを使用するアイスマッピングおよび切除の方法である。カテーテルを動脈または静脈に通して心臓または心管に挿入し、予定の損傷部位に対して配置する。冷却流体を導管に通してカテーテルの先端に循環させ、それにより、心臓組織の限局領域を冷却する。そしえ、心臓の電気的活性を測定して、予定部位の有効性を評価する。試験結果が、ある損傷が心臓不整脈を除くであろうと示すならば、高周波、直流またはレーザ光線エネルギーを用いてその領域を切除する。
本発明のさらに別の実施態様は、心臓凍結外科治療、マッピング、あらゆる内視鏡凍結外科治療に有用であり、また、開放性外科治療処置における凍結探針として有用である凍結装置である。本発明は、冷却端で加圧された冷媒を循環させるための第一の導管を第二の導管内に設ける。流体の流量制御は、受動的ボール・ばね装置または能動的電気制御弁のいずれかによって達成される。
本発明のさらに別の実施態様では、凍結カテーテルが、同心的に配設された導管を有し、内側導管が、沸騰室に通じる遠位端の近くで内径を縮小させている。受動的流量制限装置が、沸騰室から外側のガス戻り導管に入る蒸発ガスの流動を制御する。ガス戻り管路を減圧に維持すると、ガスがカテーテルから抜けることを防ぐことができる。
【図面の簡単な説明】
添付の図面とともに以下の詳細な説明を考察することにより、本発明ならびにそれに伴う利点および特徴をより容易に理解することができよう。
図１は、アイスマッピングおよび切除に用いられる、マッピング電極および第一のrf切除電極を遠位端に有する本発明のカテーテルの実施態様の略図である。
図２は、心臓内に配された本発明のカテーテルと、体の下にある第二のrf電極とを示す人体断面図である。
図３は、直流切除のための電極を有する、アイスマッピング用カテーテルの実施態様の側面図である。
図４は、ガス膨張によって冷却される先端を有する、アイスマッピングおよび切除用カテーテルの実施態様の略図である。
図５は、カテーテルの操舵を可能にする可動ケーブルを有する本発明の実施態様の略図である。
図６は、圧電操舵要素をカテーテル内の、その遠位端の近くに有する本発明の実施態様の略図である。
図７は、アイスマッピングおよび切除カテーテルを所望の位置に一時的に固定するために心臓組織中に埋め込まれる先端を有する安定化装置の実施態様を示す図である。
図８は、周囲にうねをもつ凹形の電極もしくは切除端を有する安定化装置のもう一つの実施態様を示す図である。
図９は、一連の縦方向のうねをカテーテルの先端に組み込んだ安定化装置のもう一つの実施態様を示す図である。
図10は、うねの位置および形状をより明確に表す、図９に示す先端の断面図である。
図11は、レーザ切除に用いられる光ファイバおよび光拡散体をもつ本発明のカテーテルの実施態様の略図である。
図12は、レーザエネルギーによって加熱される熱切除端を有する本発明のカテーテルの実施態様の略図である。
図13は、心臓凍結外科治療に用いられる、ボール・ばね流体圧制御装置を有する凍結カテーテルの実施態様の略図である。
図14は、内視鏡的凍結外科治療に用いられる、電気的に制御される流量制御装置を有する凍結カテーテルの実施態様の略図である。
図15は、凍結カテーテルシステムの模式図である。
図16は、図15のシステムとで使用するための凍結カテーテルの代替え態様の縦断面図である。
発明の詳細な説明
図１は、アイスマッピングおよび切除カテーテル10の実施態様の略図である。カテーテル10は、アイスマッピングおよび高周波切除に交互に使用される先端12をその遠位端に有している。カテーテル10の近位端は、外科医がアクセスすることができ、冷媒源（図示せず）に接続することができる。アイスマッピングおよび切除カテーテル10は、カテーテル本体18内に、それぞれ冷媒を先端12に向けて、また先端12から離して運ぶための２個の導管14および16を合わせもつ。図１に示す、アイスマッピングおよび切除カテーテル10の実施例は、導管14および16に関して以下の壁寸法を有している。外側導管16、外径（OD）0.117インチ、内径（ID）0.088インチ；内側導管14、OD0.068インチ、ID0.060インチ。
図示する実施態様では、先端12は、カテーテル本体18に対して周方向に配設された第一の電極20と、第二の電極22とを含み、これらはいずれもワイヤ23によって電気信号増幅器に接続されている。第一の電極20と第二の電極22とは、心電図マッピングを実行するのに併せて使用される。電極20、22は、導電物質、例えば銅、銀またはアルミニウムを、金、白金またはチタンでメッキしたものからできている。第二の電極22はまた、冷媒が内側導管14に通されて先端12に送られるとき、カテーテル先端12と心臓組織との間で熱伝導体としても働く。高周波（rf）切除の場合、ワイヤ23が、切除装置として働く第二の電極22に（rf）電流を供給する。
他の実施態様では、さらなる電極を先端12に加えて多極マッピング電極を構成してもよい。もう一つの実施態様では、導電性冷媒を用いて、第一の電極20への電気接続を提供し、それにより、ワイヤ23の必要性を解消してもよい。さらに別の実施態様では、冷媒を、トリメチルシロキシを末端にもつポリジメチルシロキサンなどの電気絶縁流体にして、ワイヤ23を、絶縁なしで、導管14および16内に、１本を内側導管14中に、もう１本を外側導管16中に位置づけてもよい。絶縁流体と、導管14および16の壁の絶縁効果とが合わさって、ワイヤ23どうしを電気的に隔離する。
すべての実施態様において、先端12の切除面または装置が必ずしも第二の電極22である必要はない。切除装置は、第二の電極22から区別することができる別個の面であってもよい。実施態様によっては、第一および第二のマッピング電極20および22をカテーテル10から完全に省き、他の手段、例えば悲観血的な心臓モニタによって心電図マッピングを実行することが望ましい。
カテーテル10を切除に使用する場合、第二の電極22および図２に示す第三の電極24を用いる。図２は、ヒトの胸腔26を表し、心臓28、肺30および脊柱32のおよその位置を示す断面図である。この患者は、導電板または第三の電極24の上に横たわった状態で示されている。血管および心臓弁を容易に通過するのに十分に平滑であるアイスマッピングおよび切除カテーテル10が心臓28の内側に示されている。第二の電極22と第三の電極24との間の電位差の発生が心臓組織の制御された切除を可能にする。第三の電極24はまた、心電図マッピングにも使用することができる。図３に示すカテーテル10のもう一つの実施態様では、再構成された先端12が、直流切除に有用である細長い第二の電極22を収容している。
図１のカテーテル10は、処置におけるその使用を参照してよりよく理解されよう。心電図マッピングによって予定の損傷部位を決定したのち、当該技術において公知である方法で第一および第二の電極20および22を用いながら、アイスマッピングおよび切除カテーテル10を、損傷を加える予定の領域に向ける。先端12を心臓組織に対して配置したのち、冷媒流をオンにして、冷却流体、例えばエチルアルコール、フレオンまたはポリジメチルシロキサンを、内側導管14内のリザーバから先端14に流れさせ、さらに、外側導管16を介してリザーバに戻す。流れの方向を逆にして、冷媒を、外側導管16を介して導入し、内側導管14から回収してもよいが、結果的なカテーテル本体18の外側の冷却が不必要に血管を冷却して、冷媒がカテーテル10に導入されたときにそれをより冷たくすることを避けられず、冷媒が先端12に達する前に冷媒を加熱することに備えなければならないであろう。カテーテル10のもう一つの実施態様では、カテーテル本体18は、図１に示す「管の中の管」の構造に代えて、導管を「束」にして包囲するものでもよい。すべての構造において、先端12での冷媒の循環が、予定の損傷部位を冷却するための制御可能な先端12の冷却を可能にする。
先端12を冷却する代替え手段は、凍結切除の技術において公知であるような、ジュール・トムソン効果によるガス膨張冷却を利用するものである。膨張冷却のために構成された先端12を図４に示す。この先端12には、加圧されたガス、例えば亜酸化窒素または二酸化炭素が外側導管16からガス膨張室36に入ることを許す多数の小さな通路34がある。ガスは、急激に膨張するとき、熱伝導性の電極22を冷却する。そして、この冷たいガスは内側導管14を介して先端12から回収される。加圧されたガスの代わりに、クロロジフルオロメタンのような液体を冷却に使用してもよい。クロロジフルオロメタンのような液体は、低温で沸騰し、沸騰によって気化熱を奪うことによって冷却を行う。
外側導管16の外壁は、カテーテル本体18の外側と同じ面であり、アイスマッピングおよび切除カテーテル10を心臓内での操作に備えて可ねじり性にする内部金属編組を含むものでもよい。心臓内操作をさらに容易にするため、コード、ワイヤまたはケーブル26を別の導管に組み込むか、そこに挿入するかして、アイスマッピングおよび切除カテーテル10を操舵性にしてもよい。図５の実施態様では、ケーブル26は、内側導管14に対し、内側導管14の遠位端の近くの取り付け地点27で取り付けられている。外科医がケーブル26をつかんで締めるか引っ張るかすると、内側導管14の遠位端が外側導管16内で動く。内側導管14の遠位端が湾曲すると、それが外側導管16の遠位端を押圧し、それにより、カテーテル10の遠位端を、ケーブル26に加わる力に比例して曲げる。逆に、ケーブル26を離すと、カテーテル10の遠位端の湾曲は減少する。
さらに、圧電プラスチック、例えばフッ化ポリビニリデン（商標名KynarR）を、内側導管14または外側導管16のいずれかの遠位端の内面または外面に加えて、アイスマッピングおよ切除カテーテル10を同様に操舵性にすることが考えられる。図６を参照すると、約３センチ分のKynarRセグメント38がカテーテル10の遠位端の近くで外側導管16の壁の一部に組み込まれたカテーテル10が示されている。セグメント38は、ワイヤ39によって電源に接続されたプラスおよびマイナスの導体を有している。一方の極性の電流の印加が、セグメント38を収納させ、それが、外側導管16の遠位端を湾曲させる。電気的極性を逆転させると、セグメント38を拡張させ、それによって、外側導管16の遠位端を反対方向に湾曲させることができる。外側導管16の動きが内側導管14の対応する動きを生じさせ、心臓組織に対する先端12の制御された配置を可能にする。
さらに、第二のセグメント38を、外側導管16の、第一のセグメント38に対向する壁部分の中に組み込むことが考えられる。反対の極性の電圧がセグメント38に同時に印加され、それにより、一方のセグメント38を収縮させ、他方のセグメント38を拡張させることを除き、カテーテル10の遠位端の制御は、セグメント38が一つの場合と同様に達成される。
上記に参照した壁寸法および100センチメートルの長さを例として有するアイスマッピングおよび切除カテーテル10は、カテーテル10中に約350cc/minの冷媒流を生じさせるために、平方インチあたり約200ポンドの冷媒の加圧を必要とする。冷媒の入口温度が摂氏−60度であり、流量が350cc/minであり、壁材料がポリウレタンであるとすると、カテーテル本体18を、摂氏37度の公称温度を有する人体内に配置した場合、先端12の温度は摂氏約−10度になる。この温度は、アイスマッピングを実行するのに十分に冷たいものである。
アイスマッピング処置における第一段階は、冷却した先端12を予定の損傷部位に配置することである。処置がいくつかの段階を有するため、アイスマッピングし、評価し、切除するのに十分な期間、予定の損傷部位で先端12を安定化させなければならない。多様な形状の先端12を用いて、カテーテル10を心筋層に対して固定または安定化させるのに役立ててもよい。図７は、尖った先端12または第二の電極22を示し、図８は、リップまたはうね41を有する凹形の先端12または第二の電極22を示し、図９は、先端12の側面に一連のうね41を有する球状の先端12を示す。図10は、図９の先端12の断面図であり、安定化うね41の形状をより明確に説明するものである。
心臓組織が摂氏約＋５度に達すると、その電気的活性は抑制される。切除される際、予定の損傷部位が治療的に有効であるならば、ひとたび予定の部位の電気的活性が冷却によって抑制されると、不整脈がもはや誘発されることはない。予定の部位の有効性を確認したならば、第二の電極22および第三の電極24を用いて、当業者には公知の方法でrf切除を実行する。
図11は、レーザ切除のための備えを組み込んだアイスマッピングおよび切除用のカテーテル10のもう一つの実施態様を示す。この実施態様では、光ファイバ40が内側導管14の中をカテーテル10の遠位端の第二の電極22の中央にある光拡散体42まで通されている。この光ファイバ40が、カテーテル本体18の近位端で光ファイバ40の近位端に配置されたレーザから光エネルギーを伝送する。レーザ光は平行性が高いため、光拡散体42を使用して、レーザエネルギーによって切除される区域を拡大する。あるいはまた、レーザ光を使用して、図12に示すような第二の電極22または別個の熱伝導電性要素を、熱切除として知られる手法に要する摂氏約＋80度の温度まで加熱してもよい。アイスマッピングおよびレーザ光もしくは熱切除手法は、高周波または直流切除のためのそれに類似しており、唯一の違いは発熱の方法である。rf切除の場合と同様、第二の電極22は、図７〜10に示した安定化機能を組み込むものでもよい。
図11の実施態様は、図示によると、心電図マッピングのための任意の第一および第二の電極20および22をもつ状態で構成されているが、図12の実施態様は、カテーテル10の構成に可能な変形を示すため、そのように構成されてはいない。しかし、また、図12のカテーテル10を、マッピング電極20および22を有するように構成し、図11のカテーテル10からそれらを省くことも考えられる。
図13および14は、マッピングおよび切除の両方に冷却を使用する二つの凍結カテーテル実施態様を示す。図13は、ボール・ばね弁102を使用して循環する冷却流体の圧力を制御する凍結カテーテル100を示す。この凍結カテーテル100は、図１のアイスマッピングおよび切除用カテーテル10と同様な方法で構成され、第二または外側導管106の内部に配置された第一または内側導管104を有している。実施例では、加圧された液体、例えば平方インチあたり150ポンド（psi）に加圧された塩素化フルオロカーボンが、外側導管の中に汲み込まれ、そこからボール・ばね弁102を介して、金属の冷却端110に隣接する沸騰室108に入れられ、それにより、凍結流体の沸騰が先端110を冷却する。微孔フィルタ112が内側導管104の遠位端を満たして、極微量の冷却液が、ガス戻り管路として働く内側導管104に入ることを防ぐ。この手段により、沸騰は沸騰室に閉じ込められ、凍結液が戻りガスの汲み上げを妨げることはない。
ボール・ばね弁102は、内側導管104の円周に配設され、各弁102が、外側導管106中の流体の圧力に等しいかそれを超えるように事前に荷重された、ばね114として働く金属コイルばねまたはシリコーンゴムのパッドを組み込んでいる（例えば、流体圧が150psi、ばね荷重が180psi）。この弁102は、液密シールを作り出す材料のいかなる組み合わせをも含むことができる。本実施態様では、ボール116はステンレス鋼であり、受け座118はポリテトラフルオロエチレンである。
先端110を冷却するためには、ボール116がその受け座118からはずれるまで外側導管106中の流体圧を増大させ、それにより、加圧された流体が沸騰室108に入ることを許す。沸騰室108中のより低い圧力が流体を気化（沸騰）させ、それがその温度を低下させ、それにより、先端110を冷却する。外側導管106中の流体圧をばね荷重よりも低い水準に下げると、沸騰室108に入る流体の流れを止めることができる。異なる液体が異なる沸点および蒸気圧を有するため、液体の具体的な選択が、先端110が冷却される温度および必要なばねの事前荷重値を決定する。
冷却される体の組織に接触して配置される冷却端110は、外科用ステンレス鋼のような、生適合性を保証するいかなる金属から作製してもよい。しかし、優れた熱伝導率を提供する鋼またはアルミニウムを使用してもよく、体による有害な生化学的反応を排除するため、これらを金、銀またはチタンで被覆してもよい。
図14を参照すると、能動的に制御される電動弁120が、図13の受動的なボール・ばね弁102の代わりに流体制御に用いられる凍結カテーテル100の代替え態様が示されている。そのような弁の一つのタイプは電気ソレノイド弁であり、もう一つはニードル弁である。電気的に制御される電動弁120を使用する場合、流体圧は外側導管106の内部で一定に維持される。弁120の開閉は、手動または自動いづれかの温度制御を許す遠隔制御装置からの信号に応答して行うこともできるし、凍結カテーテル100の内部に取り付けられた温度センサ122を用いて行うこともできる。温度センサ122は、少なくとも１個の熱電対もしくはサーミスタまたは当該技術において周知である他の装置を含むことができる。
先端110で均一な温度を支持し、所与の冷却の制約の中で先端を可能な限り冷たく維持する必要性により、また、液体が沸騰室を完全に満たし、沸騰を妨げることを防ぐためには、温度センサ122が、先端の温度をモニタし、熱負荷を液体の揮発と均衡させるのに特に有用である。温度センサ122は、内側導管104中、先端110の、フィルタ112の供給側に位置している。
先端の温度を制御するもう一つの手段は、ガスの能動的な汲み出しもしくは排出によって沸騰室中の圧力を制御すること、またはインライン流量制限によって達成することができる。戻りガス導管からガスを能動的に汲み出すか、排出させることにより、沸騰室108中の圧力が下がる。液体の沸点は圧力の低下とともに低くなるため、この手段により、沸騰室108中の凍結液はより低い温度で沸騰し、それにより、先端温度をさらに下げる。逆に、図14に示す、排出導管中の制御可能な流量制限装置124の使用は、沸騰室中の圧力を高め、それにより、その沸点を上げ、先端温度を上げるおそれがある。
図１のカテーテル10に関して先に論じたように、内側導管104および外側導管106を機能的に逆にして、製造しやすくしたり、カテーテルを可撓性に維持するために戻りガス導管を温めたりしてもよい。導管はまた、非同心的または並行的な配置形状でカテーテル中に組み込んでもよい。
凍結カテーテル100は、望む用途に依存して、剛性であってもよいし、アイスマッピングおよび切除用カテーテル10と同じくらいに可撓性であってもよい。カテーテル100が可撓性である場合、それは、図５および６に関して開示した操舵機能を組み込んでいてもよい。また、カテーテル100は、図７、８、９および10に関して論じた配置安定化装置を組み込んでいてもよい。さらには、図13および14の凍結カテーテルは、図１、３、４、11および12に関して論じたアイスマッピングおよび切除手段を組み込んでいてもよい。
図15は、１本以上の血管に通して心臓に挿入することができる封止端132と、流体制御装置136に固着することができる開口端134とを有する可撓性の高い凍結カテーテル130のさらに別の実施態様の模式図である。流体制御装置136は、低沸点の流体、例えばフレオンを、所定の圧力、容量および流量で凍結カテーテル130に供給するための１個以上のポンプと、凍結カテーテルからの流体の排出を生じさせるか、それを補助するために吸引または減圧を加えるための１個以上のポンプとを含むことができる。さらには、制御装置136は、加圧されたガスのリザーバ138から凍結カテーテル130に入るガスの流れを規制することができる。
図16は、凍結カテーテルのうち封止端132に隣接する部分を詳細に示す、図15の凍結カテーテル130の縦断面図である。第一または内側の導管140が第二または外側導管142の内部に配置されている。内側導管140は、鋼または溶接することができる他の強い金属でできていることが好ましく、封止端132に隣接する部分140′が、内側導管の残りの部分よりも小さな内径および外径を有している。一つの実施態様では、内側導管の二つの区分は溶接されている。内側導管140および外側導管142の両方が固着される沸騰室144が、凍結カテーテル130の封止端を終端させている。
凍結カテーテル130の実施例では、沸騰室144には、環状のうね148を有するネック146が設けられ、この環状のうねの周囲に、凍結カテーテルの弾性壁の一部が圧着されて、沸騰室144を外側導管142とで封止された関係に維持している。外側導管140の内径よりも大きな外径を有するネック146を選択すると、ネックの周囲にシールを提供することができるが、圧縮シールは、通常の作動ガス圧の下で沸騰室144を定位置に保持するのには不十分である。したがって、外側導管142をネック146に対してきつく絞るために、補助的な封止または締付け要素150が設けられている。凍結カテーテル130の実施例では、締付け要素150は、外側導管142の周囲に１回転以上巻き付けられた導電性ワイヤを含む。あるいはまた、そのような締付け要素は、固くて平坦な金属環であってもよい。
沸騰室144を所定位置に保持することに加え、締付け要素150のワイヤは、１個のECG電極として働くこともできる。第二のECG電極は、少なくとも一部が導電性である沸騰室144を含む。締付け要素150および沸騰室144の両方は、電気的活性信号を電極から適当なモニタ装置に伝送する個々のワイヤ152および154によって電気的に接続されている。
凍結カテーテル130の実施例では、沸騰室144のネックに対し、はんだ接合部158で固着された操舵ワイヤ156が示されている。あるいはまた、操舵ワイヤ156は、ネック146の周囲に対し、隣接する環状のうね148の間で巻き付けることもできる。内側導管140の部分140′は内側導管140の残り部分よりも薄く、可撓性であるため、凍結カテーテル130の封止端132を操舵ワイヤ156によって操舵する際の容易さおよび正確さが内側導管140の構造によって大幅に改善される。
沸騰室144は、凍結液が沸騰しているとき、凍結カテーテル130の先端だけで冷却が起こるように凍結液を含有するように作用することができる。外側導管142を冷却すると、それを凍結させて脈管構造に付着させるおそれがあるため、これは重要である。沸騰室144は、液体を供給する内側導管140が流体密な方法で中に配置されている第一の開口を含む。１個以上（好ましくは３個または４個）のガス出口穴160が、沸騰室144と、内側導管140の外面および外側導管142の内面によって画定される通路との間に通路を提供し、この通路を、発生したガスが、揮発し、沸騰室の壁、特に先端を冷却しながら通過する。ガス出口穴160は受動的流量制限装置であり、流量制限の量は一部には穴の大きさおよび数によって決まる。
実施例では、凍結カテーテルは長さ約１メートルである。内側導管140は0.10ミリメートルの壁厚を有し、この壁厚が直径0.18ミリメートルの通路を画定し、この通路の直径は、長さ約25センチメートルの、0.06ミリメートルの壁厚を有する直径縮小部分140′では0.13ミリメートルに狭まる。外側導管142は、0.38ミリメートルの壁厚を有し、直径1.27ミリメートルの通路を画定する。沸騰室144は、長さ6.35ミリメートル、幅2.67ミリメートルであり、0.20ミリメートルの壁厚を有している。ガス出口穴160は直径0.25ミリメートルである。
例示した凍結カテーテル130の部品の具体的な寸法がこの実施態様の凍結カテーテルの正しい機能に関して決定的であることを試験が証明した。例えば、上記に引用した寸法は、ジュール・トムソン冷却（ガス膨張）を用いる装置よりもはるかに低い流量を要する液体の冷却相変化（揮発）に適合されている。ついでながら、ジュール・トムソン冷却を利用する装置は、本明細書に引用した寸法に適合させることはできない。
内側導管140、140′によって画定される特定の通路直径（0.13〜0.18mm）によって提供される利点は、冷媒に溶解した水が凍結し、それにより、通路を塞ぐため、約0.10mm未満の通路を容易に詰まらせることができることである。しかし、0.20mmを超える通路を設けるならば、フレオンのような例の冷媒は室温で約125PSI、体温で140PSIの蒸気圧を有し、蒸気圧よりも低い液体フレオン圧の送り出しが妨げられるため、より少ない冷却を望むときに冷媒流を減らすことができない。800PSIを超える蒸気圧を有する亜酸化窒素のような例の冷媒の場合、問題はさらに深刻である。0.20mmを超える直径の通路の場合、あまりにも多量の流体が先端に送られるため、先端からあふれ、液体がガス出口穴160から出て、ガス戻り導管に流れ込むことになろう。ガス膨張はいかなる圧力ででも起こすことができるため、通路の直径に関するこのような上限がジュール・トムソン装置には当てはまらないことを理解すべきである。
装置の圧力作動範囲を最小値としての冷却流体の蒸気圧と最大値としての約300PSIとの間に明瞭に制限する容積を有する通路（部分140′の外面および外側導管の内面によって画定される）を提供するように直径縮小部分140′の長さを選択することにより、凍結液の蒸気圧と、一般的な生適合性の押出し成形プラスチックの選択した割合の材料破損限界との間で作動圧力範囲を設定することができる。圧力が300PSI未満にとどまることを保証することにより、患者の安全性が大幅に高められ、それがカテーテル130を一般的なプラスチックから製造することを可能にする。現在の金属管材の製造技術は、少なくとも二つの直径を有する内側導管を用いることなく、容量の要件と、有効で安全な作動圧力との間のこの正確な均衡を維持することを許す。管材製造が改良されるならば、単一の管直径の中できわめて厳密な公差を提供することが可能になろう。
装置のもう一つの安全性の特徴は、凍結カテーテル130に対して減圧または吸引を適用して、外側導管142内の圧力を所与の血圧よりも低くすることによって提供される。冷却に使用される戻り流体が毒性である、例えば気体フレオンであるとき、低圧ガスの戻りがある特定の利点を提供する。例えばカテーテル130が裂け目、穴または他の欠陥を生じさせるならば、血液が、カテーテルから排出される毒性ガスの代わりにカテーテルの中に吸い込まれる。したがって、本発明は、冷却流体を、その毒性にもかかわらず使用することを許し、それにより、分別ある医師が本発明でなければ利用できるであろうよりも広範な流体の選択を可能にする。ガス戻り管路中の減圧はまた、本発明でなければ良性のガスまたは流体、例えば二酸化炭素の過剰な排出からの保護を提供する。大量の二酸化炭素は患者にとって致命的になりかねない。さらには、減圧の適用は冷却端の温度を有意に下げることを許す。
上記の教示をかんがみると、本発明の多様な変形および改良が可能である。したがって、添付の請求の範囲の範囲内でも、本発明を、上記に具体的に説明したものとは異なる方法で実施しうることが理解されよう。
【図１】
0003554330.tif 000002
【図２】
0003554330.tif 000003
【図３】
0003554330.tif 000004
【図７】
0003554330.tif 000005
【図８】
0003554330.tif 000006
【図４】
0003554330.tif 000007
【図５】
0003554330.tif 000008
【図６】
0003554330.tif 000009
【図９】
0003554330.tif 000010
【図１０】
0003554330.tif 000011
【図１１】
0003554330.tif 000012
【図１２】
0003554330.tif 000013
【図１３】
0003554330.tif 000014
【図１４】
0003554330.tif 000015
【図１５】
0003554330.tif 000016
【図１６】
0003554330.tif 000017